(57)【要約】【課題】特定床と中間床との間に設けられた収納空間に物を使い勝手よく出し入れできる建物を提供する。【解決手段】中間床４と前記特定床２との間にある収納空間６を囲むようにして設けられた壁６ｂに、開口１０が形成されており、収納空間６に設けられた収納家具１１が前記開口１０から外側に露出可能である。この露出している部分から物を収納家具１１に容易に出し入れでき、また、収納家具１１には収納空間６からも物を出し入れできる。したがって、頻繁に使用する物は外側から収納家具１１に出し入れでき、それ以外の物は収納空間６または収納家具１１に出し入れできるので、収納空間６の使い勝手がよくなる。【選択図】図１
2006009304.tif 000002
【特許請求の範囲】
【請求項１】
特定階の一部に、中間床が前記特定階を構成する特定床の上側において設けられ、この中間床と前記特定床との間が収納空間とされた建物であって、
前記収納空間を囲むようにして設けられた壁には開口が形成されており、前記収納空間に設けられた収納家具が前記開口から外側に露出可能であることを特徴とする建物。
【請求項２】
請求項１に記載の建物において、
前記収納家具は、その内部に複数の側面から物を出し入れ可能であることを特徴とする建物。
【請求項３】
請求項１または２に記載の建物において、
前記開口は、前記収納空間を形成する対向する壁間に亙って開口しており、
前記収納空間に複数の収納家具が設けられており、これら収納家具は前記開口に沿って移動可能であり、
この複数の収納家具の前には、戸が前記開口に沿って移動可能に設けられていることを特徴とする建物。
【請求項４】
請求項１または２に記載の建物において、
前記収納空間には仕切壁が設けられ、この仕切壁によって前記収納空間が前記仕切壁の後方に位置し、周囲が壁で囲まれた第１収納空間と、前記仕切壁の前方に位置して、外側に前記仕切壁の幅全体に亙って開口する第２収納空間とに分割されており、
前記第２収納空間に、複数の収納家具が前記仕切壁に沿って移動可能に設けられており、
前記仕切壁には、第１収納空間に出入りするための出入口が設けられていることを特徴とする建物。
【請求項５】
請求項１または２に記載の建物において、
前記収納家具は鉛直軸回りに回転可能に設けられており、回転することによって、外周側の一部が前記開口から外側に露出することを特徴とする建物。
【請求項６】
請求項１〜５のいずれか一項に記載の建物において、
前記収納家具には、棚が設けられており、この棚には、その奥行き方向に移動可能な間仕切が設けられていることを特徴とする建物。
【発明の詳細な説明】
【技術分野】
【０００１】
本発明は、建物に係り、特に中間床を設け、この中間床の下方に収納空間を設けたものに関する。
【背景技術】
【０００２】
従来、住宅等において物品を保管、収容する場所として、建物内部には押入や納戸、床下収納庫、小屋裏収納部、天井裏収納部等の収納スペースが設けられ、また、屋外には物置等が設置されることがある。
しかし、近年における生活の質の向上や多様化に伴い、生活に使用する物品が多種多様化および多数化する傾向にあり、これらの物品を保管、収容するために従来の収納スペースでは広さや容量が不足し、また、建物が建てられる敷地の有効利用という観点から、屋外物置等の設置は望ましくないため、その内部により大きな収納スペースを備えた建物が望まれている。
【０００３】
内部に収納スペースを備えた建物の一例として、特許文献１に記載のものが知られている。この特許文献１に記載の建物では、特定フロアと、この特定フロアの直上に位置する直上フロアとを有する建物であって、特定フロアおよび直上フロアは、それらの一部に設けられた中間床と、この中間床の下側に形成された中間床下側空間と、当該中間床の上側に形成された中間床上側空間とを備え、特定フロアの中間床上側空間の少なくとも一部と、直上フロアの中間床下側空間の少なくとも一部とが連通された吹き抜け空間が構成されており、特定フロアの中間床下側空間と、直上フロアの中間床下側空間のうち、吹き抜け空間を構成しない中間床下側空間とは、各々収納空間とされている。
【特許文献１】特開２００４−４４２１０号公報
【発明の開示】
【発明が解決しようとする課題】
【０００４】
上記のような建物では、中間床下側空間が収納空間とされているが、この収納空間は物を出し入れする小さな出入れ口が一つであるので、収納した物は全てこの出入れ口から収納空間に入って取り出してこなければならないので、使い勝手がよくない場合があった。
【０００５】
本発明は上記事情に鑑みてなされたものであり、収納空間に物を使い勝手よく出し入れできる建物を提供することを課題としている。
【課題を解決するための手段】
【０００６】
上記課題を解決するために、請求項１に記載の発明は、例えば図１〜図３に示すように、特定階１の一部に、中間床４が前記特定階１を構成する特定床２の上側において設けられ、この中間床４と前記特定床２との間が収納空間６とされた建物であって、
前記収納空間６を囲むようにして設けられた壁６ｂには開口１０が形成されており、前記収納空間６に設けられた収納家具１１が前記開口１０から外側に露出可能であることを特徴とする。
【０００７】
ここで、特定階１とは、建物の所定の階を意味し、例えば、１階、２階、３階等の所定の階は勿論のこと、地下にある地下１階、２階等の所定の階も意味する。そして、特定床２は特定階１を構成する床であり、特定階が１階であれば１階床、２階であれば２階床である。
中間床４は特定床２の上側でかつ特定階１に設けられる床であり、この中間床４と特定床２の間が収納空間６とされる。中間床４は、収納空間６の高さが０．９ｍ〜１．４ｍ程度となるように、特定床２の上方に設けられるのが望ましい。
また、「収納家具が前記開口から外側に露出可能である」とは、収納家具の少なくとも一部が開口から外側に突出するか、あるいは、収納家具の一部が開口側に向くことによって、外側に露出することを意味する。
【０００８】
請求項１に記載の発明によれば、収納空間６に設けられた収納家具１１が、壁６ｂに形成された開口１０から外側に露出することによって、この露出している部分から物を収納家具１１に容易に出し入れできる、つまり収納空間６の外側から収納家具１１に物を出し入れできる。また、収納家具１１には収納空間６からも物を出し入れできる。したがって、頻繁に使用する物は外側から収納家具１１に出し入れでき、それ以外の物は収納空間６または収納家具１１に出し入れできるので、収納空間６の使い勝手がよくなる。
【０００９】
請求項２に記載の発明は、例えば図３に示すように、請求項１に記載の建物において、
前記収納家具１７は、その内部に複数の側面から物を出し入れ可能であることを特徴とする。
【００１０】
請求項２に記載の発明によれば、収納家具１７を開口１０から外側に突出させて露出した場合に、この収納家具１７内に複数の側面から物を出し入れでき、便利である。
【００１１】
請求項３に記載の発明は、例えば図５に示すように、請求項１または２に記載の建物において、
前記開口２１は、前記収納空間２０を形成する対向する壁２０ａ，２０ａ間に亙って開口しており、
前記収納空間２１に複数の収納家具２２が設けられており、これら収納家具２２は前記開口２１に沿って移動可能であり、
この複数の収納家具２２の前には、戸２４が前記開口２１に沿って移動可能に設けられていることを特徴とする。
【００１２】
請求項３に記載の発明によれば、収納空間２０を形成する対向する壁２０ａ，２０ａ間に亙って開口する開口２１に沿って、複数の収納家具２２が移動可能に設けられているので、これら収納家具２２によって開口２１を、一部に収納空間２０への出入り口となる空間２５を残した状態で塞ぐことができる。収納家具２２は、外側を向く面側、収納空間を向く面側から使用できる（物を出し入れできる）のは勿論のこと、隣り合う収納家具２２，２２どうしを離間させることによって、収納家具２２の移動方向を向く面側からも使用でき非常に便利である。
また、隣り合う収納家具２２，２２を離間させることによって、収納家具２２，２２間に出入口（空間２５）を形成し、この出入口から収納空間２０へ出入りでき、また、この出入口も戸２４によって開閉できる。
【００１３】
請求項４に記載の発明は、例えば図６に示すように、請求項１または２に記載の建物において、
前記収納空間２６には仕切壁２７が設けられ、この仕切壁２７によって前記収納空間２６が前記仕切壁２７の後方に位置し、周囲が壁で囲まれた第１収納空間２６ａと、前記仕切壁２７の前方に位置して、外側に前記仕切壁２７の幅全体に亙って開口する第２収納空間２６ｂとに分割されており、
前記第２収納空間２６ｂに、複数の収納家具２８が前記仕切壁２７に沿って移動可能に設けられており、
前記仕切壁２７には、前記第１収納空間２６ａに出入りするための出入口３１が設けられていることを特徴とする。
【００１４】
請求項４に記載の発明によれば、外側に開口する第２収納空間２６ｂに、複数の収納家具２８が仕切壁２７に沿って移動可能に設けられているので、収納空間２６の外側もしくはこの第２収納空間２６ｂ側から収納家具２８に容易に物を出し入れできる。また、収納家具２８を移動させることによって、仕切壁２７に形成された、第１収納空間２６ａへの出入口３１を開閉できる。
【００１５】
請求項５に記載の発明は、例えば図７および図８に示すように、請求項１または２に記載の建物において、
前記収納家具３２は鉛直軸回りに回転可能に設けられており、回転することによって、外周側の一部が前記開口３４から外側に露出することを特徴とする。
【００１６】
請求項５に記載の発明によれば、収納家具３２が回転可能であるので、取り扱い易く、しかも前後に出没されるものに比して、場所もとらない。
【００１７】
請求項６に記載の発明は、例えば図９に示すように、請求項１〜５のいずれか一項に記載の建物において、
前記収納家具３６には、棚３７が設けられており、この棚３７には、その奥行き方向に移動可能な間仕切３８が設けられていることを特徴とする。
【００１８】
請求項６に記載の発明によれば、棚３７を、収納空間４０側から使用する奥部分と、外側から使用する手前部分とに間仕切によって自由に区画できるので、収納空間４０の外側で使用する物の大きさや量、収納空間４０に収納する物の大きさや量によって、棚３７を有効利用できる。
【発明の効果】
【００１９】
本発明によれば、中間床と特定床との間にある収納空間を囲むようにして設けられた壁に開口が形成されており、収納空間に設けられた収納家具が前記開口から外側に露出可能であるので、収納家具を開口から外側に露出することによって、この露出している部分から物を収納家具に容易に出し入れできる、つまり収納空間の外側から収納家具に物を出し入れできる。また、収納家具には収納空間からも物を出し入れできる。したがって、頻繁に使用する物は外側から収納家具に出し入れでき、それ以外の物は収納空間または収納家具に出し入れできるので、収納空間の使い勝手がよくなる。
【発明を実施するための最良の形態】
【００２０】
以下、図面を参照して、本発明の実施の形態について説明する。
（第１の実施の形態）
図１〜図４は、本発明に係る建物の第１実施形態を示すものであり、図１は建物の縦断面図、図２は建物の１階の平面図、図３は建物の１階の要部を示す斜視図、図４は収納家具の斜視図である。
【００２１】
図１に示すように、建物は２階建ての住宅であり、例えば周知のパネル工法によって構築されている。
本実施の形態では、１階を特定階１としており、この特定階１を構成する１階の床を特定床２としている。特定階（１階）１には、左側に居間３が設けられており、右側に中間床４が設けられている。中間床４は、建物の略右側半分において、特定床２の上側に設けられている。この中間床４上には、居室５が設けられている。また、中間床４と特定床２との間は収納空間６とされ、この収納空間６の高さは０．９ｍ〜１．４ｍ程度とされている。
【００２２】
また、図２に示すように、前記収納空間６を囲むようにして設けられた壁６ａには、この収納空間６への出入口７が設けられており、この出入口７は玄関に隣接して配置された居間３に面している。
また、壁６ｂには、開口１０が形成されており、前記収納空間６に設けられた収納家具１１，１１が開口１０から露出可能となっている。開口１０は玄関１２の玄関土間に面しており、この玄関土間に対して収納家具１１，１１が出没することによって、開口１０から露出可能となっている。
【００２３】
収納家具１１は本実施の形態では下駄箱であり、玄関扉１３の内側において、玄関扉１３が設けられた壁と平行に移動することによって、玄関土間に出没するようになっている。収納家具１１は、その一方の側面、つまり玄関ホール側を向く側面が開口しており、この開口から履物を出し入れできるようになっている。また、玄関土間の床は収納空間６の床より低くなっているので、玄関土間に突出した収納家具１１は、玄関土間の床より上方に位置している。
なお、図示は省略するが、収納家具１１には、この収納家具１１が開口１０から飛び出して玄関土間に落下するのを防止するためのストッパが設けられている。また、収納家具１１を移動可能とするには、例えば、収納空間６の床にレール等を設け、このレール上を収納家具１１が摺動させればよい。
また、前記開口１０が形成された壁６ｂの下部でかつ、玄関ホールに面する部位は、奥側に窪んでおり、その窪んだ部分が収納部１４とされている。この収納部１４は、引違い戸１５によって開閉されるようになっている。
【００２４】
本実施の形態によれば、収納空間６に設けられた収納家具１１が、壁６ｂに形成された開口１０から玄関土間側に突出して露出することによって、この露出している部分、つまり収納家具１１の側面から履物を収納家具１１に容易に出し入れできる、つまり収納空間６の外側（玄関土間）から収納家具１１に履物を出し入れできる。また、収納家具１１には収納空間６からも履物を出し入れできる。したがって、頻繁に使用する履物は玄関土間から収納家具１１に出し入れでき、それ以外の履物やその他の物は収納空間６または収納家具１１に出し入れできるので、収納空間６の使い勝手がよくなる。
【００２５】
図４は、収納家具の他の例を示す斜視図である。この図に示す収納家具１７は、その内部に複数の側面から物を出し入れ可能である。
つまり、収納家具１７は、直方体箱状に形成されており、その左右側端面には、凹所１７ａ，１７ａが設けられている。この凹所１７ａは上面と側端面側に開口しており、棚１７ｂが設けられている。また、収納家具１７の一方の側面には大きな凹所１７ｃが設けられている。この凹所１７ｃは一方の側面側に開口しており、棚１７ｄ，１７ｄが設けられている。
このような収納家具１７は、例えば、前記収納家具１１の代わりに、前記収納空間６に設けられ、開口１０から露出可能となるように設ける。この収納家具１７では、収納家具内に複数の側面から物を出し入れでき、つまり、両側端面側および一方の側面側から物を出し入れでき、便利である。
【００２６】
（第２の実施の形態）
図５は、本発明に係る建物の第２実施形態を示すものであり、収納空間を示す平面図である。
図５に示すように、収納空間２０は互いに平行離間して配置された壁２０ａ，２０ａと、この壁２０ａ，２０ａの一方の側端部を連結する壁２０ｂとによって囲まれている。壁２０ａ，２０ａの他方の側端部間は、開口２１とされており、この開口２１は対向する壁２０ａ，２０ａ間に亙って大きく開口している。
【００２７】
前記収納空間２０は複数（例えば５個）の収納家具２２が設けられており、これら収納家具２２は開口２１に沿って移動可能である。
すなわち、収納家具２２は平面視において収納空間２０の奥行き方向に長尺な長方形状に形成されており、その高さは開口２１の上下の高さとほぼ等しくなっている。収納家具２２はその長辺側の側面が開口しており、この開口から物を出し入れするようになっている。壁２０ａ，２０ａの他方の側端部間には、レール２３，２３が敷設されており、このレール２３，２３に沿って複数の収納家具２２が図において矢印方向に移動するようになっている。収納家具２２の移動は手動で行ってもよいし、電動で行ってもよい。
【００２８】
また、複数の収納家具２２の前には、戸２４が開口２１に沿って移動可能に設けられている。つまり、戸２４は壁２０ａ，２０ａの側端部間を移動可能に設けられている。この戸２４の高さは前記開口２１の上下の高さとほぼ等しくなっており、幅は以下のような大きさになっている。つまり、互いに隣り合う収納家具２２，２２どうしを最大限に離間させてこれらの間に空間２５を設けた場合のこの空間２５の幅とほぼ等しくなるように、戸２４の幅が設定されている。
【００２９】
本実施の形態によれば、収納空間２０を形成する対向する壁２０ａ，２０ａ間に亙って開口する開口２１に沿って、複数の収納家具２２が移動可能に設けられているので、これら収納家具２２によって開口２１を、一部に収納空間２０への出入り口となる空間２５を残した状態で塞ぐことができる。
収納家具２２は、隣り合う収納家具２２，２２どうしを離間させることによって、収納家具２２の移動方向を向く面側、つまり長辺側の側面から自由に使用できる。
また、隣り合う収納家具２２，２２を離間させることによって、収納家具２２，２２間に出入口（空間）２２を形成し、この出入口２２から収納空間２０へ出入りでき、また、この出入口２２も戸２４によって開閉できる。
【００３０】
（第３の実施の形態）
図６は、本発明に係る建物の第３実施形態を示すものであり、収納空間を示す平面図である。
図６に示すように、収納空間２６には仕切壁２７が設けられ、この仕切壁２７によって前記収納空間２６が前記仕切壁２７の後方に位置し、周囲が壁で囲まれた第１収納空間２６ａと、前記仕切壁２７の前方に位置して、外側に前記仕切壁２７の幅全体に亙って開口する第２収納空間２６ｂとに分割されている。
【００３１】
前記第２収納空間２６ｂには、複数の収納家具２８が仕切壁２７に沿って矢印方向に移動可能に設けられている。すなわち、収納家具２８は平面視において収納空間２０の幅方向に長尺な長方形状に形成されており、その高さは第２収納空間２６ｂを形成する壁２０ａ，２０ａの側端部間に形成された開口２１の上下の高さとほぼ等しくなっている。収納家具２２はその長辺側の側面が開口しており、この開口から物を出し入れするようになっている。壁２０ａ，２０ａの側端部間には、レール３０・・・が敷設されており、このレール３０・・・に沿って複数の収納家具２８が図において矢印方向に移動するようになっている。収納家具２８は前後に２段設けられており、前段には２個、後段には２個それぞれ矢印方向に移動可能に設けられている。
また、前記仕切壁２７には、第１収納空間２６ａに出入りするための出入口３１が設けられている。この出入口３１はその幅が前記収納家具２８の左右の長さとほぼ等しく、高さも収納家具２８の高さとほぼ等しくなっている。
そして、出入口３１の前方に収納家具２８が位置しないように、該収納家具２８を両脇に移動させることによって、出入口３１の前方が開放され、第１収納空間２６ａに出入りできるようになっている。
【００３２】
本実施の形態によれば、外側に開口する第２収納空間２６ｂに、複数の収納家具２８が仕切壁２７に沿って移動可能に設けられているので、収納空間２６の外側もしくはこの第２収納空間２６ｂ側から収納家具２８に容易に物を出し入れできる。また、収納家具２８を移動させることによって、仕切壁２７に形成された、第１収納空間２６ａへの出入口３１を開閉できる。
【００３３】
（第４の実施の形態）
図７および図８は、本発明に係る建物の第４実施形態を示すものであり、図７は収納空間を示す平面図、図８は収納家具を示す斜視図である。
図７および図８に示すように、収納家具３２は略円柱状のものであり、その外周部には周方向に沿って３つの凹所３２ａ・・・が等間隔で形成されており、各凹所３２ａには棚３２ｂが設けられている。したがって、収納家具３２には、合計で６つの収納部が設けられている。
【００３４】
また、収納空間３３を形成する壁３３ａには、開口３４が形成されており、この開口３４には、前記収納家具３２がその鉛直軸回りに回転可能に設けられている。この収納家具３２は回転することによって、外周側の約１／３が開口３４から外側に露出するようになっている。つまり、開口３４には、カバー部材３４ａ，３４ａが設けられており、このカバー部材３４ａ，３４ａの先端部が凹所３２ａの両側に位置し、これによって、外周側の約１／３つまり一つの凹所３２ａが外側に露出するようになっている。
【００３５】
本実施の形態によれば、収納家具３２が回転可能であるので、取り扱い易く、しかも例えば図２および図３に示すような前後に出没される収納家具１１に比して、場所もとらなくて、コンパクトなものとなる。
【００３６】
（第５の実施の形態）
図９は、本発明に係る建物の第４実施形態を示すものであり、収納空間に設けられた収納家具を示す断面図である。
図９に示すように、収納家具３６は、直方体箱状のものであり、その内部には３つの棚３７・・・が上下に離間して設けられている。また、収納家具３６の前面（図９において左側面）および後面（図９において右側面）は開口しており、収納家具３６にはその前面と後面の双方側から物を出し入れできるようになっている。
また、前記棚３７には、その奥行き方向に移動可能な間仕切３８が設けられている。また、収納家具３６の底部にはキャスター３９・・・が取り付けられており、これによって、収納家具３６は収納空間４０の開口４１から外側に出没させることができるようになっている。
【００３７】
本実施の形態によれば、棚３６を、収納空間４０側から使用する奥部分と、外側から使用する手前部分とに間仕切３８によって自由に区画できるので、収納空間４０の外側で使用する物の大きさや量、収納空間４０に収納する物の大きさや量によって、棚３７を有効利用できる。
【図面の簡単な説明】
【００３８】
【図１】本発明に係る建物の第１実施形態を示すものであり、建物の縦断面図である。
【図２】同、建物の１階の平面図である。
【図３】同、建物の１階の要部を示す斜視図である。
【図４】同、収納家具の斜視図である。
【図５】本発明に係る建物の第２実施形態を示すものであり、収納空間を示す平面図である。
【図６】本発明に係る建物の第３実施形態を示すものであり、収納空間を示す平面図である。
【図７】本発明に係る建物の第４実施形態を示すものであり収納空間を示す平面図である。
【図８】同、収納家具を示す斜視図である。
【図９】本発明に係る建物の第４実施形態を示すものであり、収納空間に設けられた収納家具を示す断面図である。
【符号の説明】
【００３９】
１  特定階
２  特定床
４  中間床
６，２０，２６，３３，４０  収納空間
１０，２１，３４  開口
１１，１７，２２，３２，３６  収納家具
２４  戸
２６ａ  第１収納空間
２６ｂ  第２収納空間
２７  仕切壁
３１  出入口
３７  棚
３８  間仕切
【図１】
2006009304.tif 000003
【図２】
2006009304.tif 000004
【図３】
2006009304.tif 000005
【図４】
2006009304.tif 000006
【図５】
2006009304.tif 000007
【図６】
2006009304.tif 000008
【図７】
2006009304.tif 000009
【図８】
2006009304.tif 000010
【図９】
2006009304.tif 000011